(57)【要約】【課題】  竿掛具に安定して支持できる釣り竿を提供する。【解決手段】  リールシート３を備えた元竿１Ａのグリップ部４における軸線方向の複数箇所に、元竿１Ａが竿掛具２に支持される際に、竿掛具２の複数の受面２ｂに当接される二つの受パッド４Ａ、４Ｂを装着し、二つの受パッド４Ａ、４Ｂを元竿１Ａの外周面における竿軸芯を挟んで１８０°対角位置に振り分けて設けてある。【選択図】        図１
2008017711.tif 000002
【特許請求の範囲】
【請求項１】
リールシートを備えた元竿のグリップ部における軸線方向の複数箇所に、前記元竿が竿掛具に支持される際に、前記竿掛具の複数の受面に当接される複数の受パッドを装着してある釣り竿。
【請求項２】
前記複数の受パッドを前記元竿の外周面における竿軸芯を挟んで１８０°対角位置に振り分けて設けてある請求項１記載の釣り竿。
【請求項３】
前記受パッドの表面を凹凸面に形成してある請求項１又は２記載の釣り竿。
【請求項４】
前記複数の受パッドのうちの少なくとも一つの受パッドの受け面の元竿外周面から突出する高さを、一端部側程低くなるように、前記受け面を傾斜面に構成してある請求項１から３のうちのいずれかひとつに記載の釣り竿。
【請求項５】
前記受パッドが着脱具を装備しており、前記元竿に対して着脱自在に構成してある請求項１〜４のうちのいずれか一つに記載の釣り竿。
【発明の詳細な説明】
【技術分野】
【０００１】
本発明は、実釣時に竿掛具に支持される釣り竿に関する。
【背景技術】
【０００２】
釣り竿を竿掛具に支持する際に、釣り竿のグリップ部を前記竿掛具の前受フレーム２Ｂと後受フレーム２Ｃとに亘って載置することによって行っていた（特許文献１参照）。
【０００３】
【特許文献１】実登２５６５７６９号公報（段落番号〔０００７〕の第１行〜第７行、及び、図２）
【発明の開示】
【発明が解決しようとする課題】
【０００４】
上記構成では、グリップ部をそのまま竿掛具の前受フレーム２Ｂと後受フレーム２Ｃとに載置する構成を採っているが、グリップ部は釣り操作時、釣り竿を握る際に使用される部分であるために、釣り人がグリップ部を握った時の手にいたみを感じず、長時間に亘る釣りでも持ち重り感の少ない機能を持たせるように、材料の選択、握り部の形状等が決められている。
したがって、グリップ部をそのまま竿掛具の前受フレーム２Ｂと後受フレーム２Ｃとに載置した場合に、支持状態が安定し難いという面もあった。
【０００５】
本発明の目的は、竿掛具に安定して支持できる釣り竿を提供する点にある。
【課題を解決するための手段】
【０００６】
〔構成〕
請求項１に係る発明の特徴構成は、リールシートを備えた元竿のグリップ部における軸線方向の複数箇所に、前記元竿が竿掛具に支持される際に、前記竿掛具の複数の受面に当接される複数の受パッドを装着してある点にあり、その作用効果は次の通りである。
【０００７】
〔作用〕
グリップ部に受パッドを設け、この受パッドを竿掛具の受面に当接させて、釣り竿を竿掛具に支持することとなる。そうすると、受パッドとしてその材質や外形形状等を竿掛具に載置するに適したものとすることができ、受パッドが直接竿掛具の受面に接触することとなるので、釣り竿の支持は安定したものとなる。
【０００８】
〔効果〕
受パッドの導入でグリップ部に対して受パッドに相当する機能を持たせる必要がなく、支持状態が安定する釣り竿とできた。
【０００９】
〔構成〕
請求項２に係る発明の特徴構成は、請求項１に係る発明において、前記複数の受パッドを前記元竿の外周面における竿軸芯を挟んで１８０°対角位置に振り分けて設けてある点にあり、その作用効果は次の通りである。
【００１０】
〔作用〕
受パッドは元竿の外周面における竿軸芯を挟んで１８０°対角位置に振り分けて設けてある。これは、竿先側に竿重心が位置するところから、竿掛具には、その重心位置に作用する荷重に起因する曲げモーメントが作用する。その曲げモーメントに対抗するために、竿掛具には１８０°対角位置に受面が設けてあり、その受面に対応した受パッドを釣り竿のグリップ部に設けてある。これによって、竿掛具の支持構造にあった受パッドの配置構成が採れることとなり、必要最小限の受パッドで必要な機能を満足させることができる。
【００１１】
〔効果〕
必要な部位のみに受パッドを配置することによって、余分な重量増を来たさない釣り竿とできた。
【００１２】
請求項３に係る発明の特徴構成は、請求項１又は２に係る発明において、前記受パッドの表面を凹凸面に形成してある点にあり、その作用効果は次の通りである。
【００１３】
〔作用効果〕
つまり、凹凸面が竿掛具の受面に当接する際に、変形することを期待できるので、釣り竿を竿掛具に固定する固定力が向上する。
【００１４】
請求項４に係る発明の特徴構成は、請求項１〜３のうちのいずれか一つに記載の発明において、前記複数の受パッドのうちの少なくとも一つの受パッドの受け面の元竿外周面から突出する高さを、一端部側程低くなるように、前記受け面を傾斜面に構成してある点にあり、その作用効果は次の通りである。
【００１５】
〔作用効果〕
受パッドの受け面を傾斜面に形成してあるので、竿掛具の受面に受パッドを載置する際に、釣り竿を竿軸線方向に僅かに位置を変更することによって、竿掛具の受面に載置される受パッドの傾斜受け面位置が切り換わって、竿掛具の受面から釣り竿の竿軸芯位置までの高さが変化する。
このことによって、竿掛具に支持した釣り竿の載置角度を変更することができ、棚の変動に沿った仕掛け位置の変更等が容易に行えるようになる。
【００１６】
請求項５に係る発明の特徴構成は、請求項１〜４の内のいずれか一つに係る発明において、前記受パッドが着脱具を装備しており、前記元竿に対して着脱自在に構成してある点にあり、その作用効果は次の通りである。
【００１７】
〔作用効果〕
受パッドを備えていない既存の釣り竿に対しても受パッドを装着することができるので、受パッドの機能を既存の釣り竿まで広範囲に適用することができる。
しかも、汚損等があれば、取り外して修理を行ったり、取り換えたりすることができる。
【発明を実施するための最良の形態】
【００１８】
〔第１実施形態〕
釣り竿１を載置する竿掛具２について説明する。図２及び図３に示すように、竿掛具２は、船縁等に装着される基端フレーム２Ａと、基端フレーム２Ａから前方に延出された前受フレーム２Ｂと、基端フレーム２Ａの後端に揺動自在に支持される後受フレーム２Ｃとで構成してある。
【００１９】
図２及び図３に示すように、前受フレーム２Ｂは単一の棒状フレーム２ａを基端フレーム２Ａより立設し、棒状フレーム２ａの上端に略Ｙ字状を呈する受面２ｂを形成してある。後受フレーム２Ｃは、基端フレーム２Ａに軸支された揺動フォルダ２ｃと、その揺動フォルダ２ｃに保持された受止フレーム２ｄと、受止フレーム２ｄに受止られた元竿１Ａを押さえ付ける押さえ部材２ｅとで構成してあり、図３（ロ）に示すように、受止フレーム２ｄと押さえ部材２ｅとに形成されたフランジ部２ｆ、２ｆに亘ってボルトを掛渡しナットａ，ａで締付け固定することによって、受止フレーム２ｄと押さえ部材２ｅとで元竿１Ａを挾持保持するように構成してある。
【００２０】
元竿１Ａの構成について説明する。図１に示すように、スピニングリールＳを装着する筒状リールシート３を取り付けるとともに、筒状リールシート３の竿尻側にグリップ部４を設け、グリップ部４に二つの受パッド４Ａ、４Ｂを設けてある。
筒状リールシート３に近い竿先側受パッド４Ａは、筒状リールシート３のリール取付面と同じ下向き面に取り付けられており、筒状リールシート３から離れた竿尻側受パッド４Ｂは、竿先側受パッド４Ａとは１８０°対角方向の上向き面に取り付けられている。
【００２１】
竿先側受パッド４Ａの形状について説明する。図１（ロ）に示すように、竿先側受パッド４Ａの受け面４ａを傾斜面に形成し、受け面４ａの竿先端の元竿外周面から突出する高さＬ１を、受け面４ａの竿尻端の元竿外周面から突出する高さＬ２より低くして、竿先側の端部程低くなるように構成してある。
【００２２】
竿尻側受パッド４Ｂについて説明する。図１に示すように、竿尻側受パッド４Ｂはグリップ部４の表面に沿った一定の厚みでかつ竿の軸線方向に沿った方向でも一定の厚みを有するパッドであり、押さえ部材２ｅに接触する受け面４ｂは、凹凸のない平坦面に形成されている。
【００２３】
竿先側受パッド４Ａ、竿尻側受パッド４Ｂは共にゴムを材料として成形されたものであり、ウレタン、スチレン、ポリウレタンゴムが使用される。ただし、ゴム以外にも、天然コルク、プライウッド、ＥＶＡ等が使用可能である。
尚、元竿１Ａにおけるグリップ部４としては、柔軟性を求めるならば、プラスチック発泡体（エチレン酢酸ビニール共重合体）を芯材としてその芯材の表面をゴム等で被覆する構成とするか、柔軟性を抑えるならば、硬質の部材（クロロスルホン化ポリエチレン等のゴム）を採用してもよい。
【００２４】
以上のような二つの受パッド４Ａ、４Ｂを装着した釣り竿１を、図２に示すように、竿掛具２に支持させることによって、安定して支持する構成を採ることができる。しかも、竿先側受パッド４Ａの前受フレーム２Ｂへの載置位置を竿の軸線方向に沿って僅かに移動調節することによって、竿先側受パッド４Ａの傾斜面の存在故に、釣り竿１の取付姿勢の傾斜角度を変更することができる。これによって、棚の変動に沿った仕掛け位置の変更等が容易に行えるようになる。
【００２５】
〔第２実施形態〕
図４に示すように、両受パッド４Ａ、４Ｂ共に、受け面４ａ，４ｂについては、平坦面ではなく、軸線方向に波立つ状態のものに構成する。
つまり、波立つように構成するに、凸面４ｃと凹面４ｄとを軸線方向に沿って交互に配置し、凸面４ｃと凹面４ｄとを竿の周方向に沿って幅方向一杯に配置して構成してある。
【００２６】
このように受パッド４Ａ、４Ｂの表面に凹凸面４ｃ、４ｄが存在することによって、前受フレーム２Ｂ及び後受フレーム２Ｃに支持された際に、凹凸面４ｃ、４ｄが弾性的に変形して、後受フレーム２Ｃでの締め付け固定力を高め、釣り竿１の支持状態が安定する。
【００２７】
〔別実施形態〕
（１）  図５に示すように、グリップ部４に接着剤等で固定するのではなく、後付けできるようにしてもよい。つまり、前記した二つの受パッド４Ａ、４Ｂを着脱具としての締付固定用ベルト５に取付け、締付固定用ベルト５をグリップ部４に巻回することによって、所定位置に固定するようにしてもよい。締付固定用ベルト５のグリップ部４に巻回した状態での固定方法は、ベルト５の端部に面ファスナー５ａを設けたり、止め金を設ける構成を採ってもよい。
このように、受パッド４Ａ等を後付けできるように構成することによって、グリップ部４に元々受パッド４Ａ等を備えていない釣り竿１にも受パッド４Ａ等を装着でき、竿掛具２での支持状態が安定する。
（２）  前記した二つの受パッド４Ａ、４Ｂはいずれもグリップ部４の半周にも満たない範囲を覆うものに構成されているが、全周に亘る範囲で覆う筒状のものに構成してもよい。特に、上下から挟み込む、受止フレーム２ｄと押さえ部材２ｅとで構成してある後受フレーム２Ｃに対する竿尻側受パッド４Ｂを、筒状のものに構成することによって、受止フレーム２ｄに対応する受パッドと押さえ部材２ｅに対する受パッドとを別個に製作する必要がなく、部品等の削減が図れる。
（３）  受パッドの数は、竿掛具２の受面の数に合わせたものにできる。
（４）  受パッドのうち受け面４ａを傾斜面としたものを竿先側受パッド４Ａに設定したが、単一の棒状フレーム２ａを基端フレーム２Ａより立設し、棒状フレーム２ａの上端に略Ｙ字状を呈する受面２ｂを形成してある前受フレーム２Ｂを竿尻側に配置した場合には、傾斜面を有する受パッド４Ａを竿尻側に配置してもよい。
【図面の簡単な説明】
【００２８】
【図１】（イ）元竿に受パッドを接着固定した状態を示す側面図、（ロ）竿先側受パッド竿尻側パッドを示す縦断側面図
【図２】元竿を竿掛具に支持した状態を示す側面図
【図３】（イ）竿掛具における前受フレームに支持されたグリップ部の竿先側受パッドを示す縦断正面図、（ロ）竿掛具における後受フレームに支持されたグリップ部の竿尻側受パッドを示す縦断正面図
【図４】竿先側受パッドと竿尻側受パッドとの別実施のものをグリップ部に取り付けた状態を示す側面図
【図５】ベルトを装備して、グリップ部に対して着脱自在な受パッドを示す縦断正面図
【符号の説明】
【００２９】
１Ａ            元竿
２              竿掛具
２ｂ            受面
３              リールシート
４              グリップ部
４Ａ、４Ｂ      受パッド
４ａ、４ｂ      受け面
４ｃ、４ｄ      凸凹面
５              着脱具
Ｌ１、Ｌ２      高さ
【図１】
2008017711.tif 000003
【図２】
2008017711.tif 000004
【図３】
2008017711.tif 000005
【図４】
2008017711.tif 000006
【図５】
2008017711.tif 000007